(57)【要約】【課題】  従来は、加熱室の検知孔を介して赤外線を検知し温度検出する赤外線センサを冷却する冷却風が、検知孔から吹き出てきた蒸気や油分などを吹き飛ばすことになるが、この冷却風の風向によっては、赤外線センサのフィルタに当接していたため、冷却風で運ばれる蒸気や油分が赤外線センサのフィルタに付着して、赤外線の通過量を減少させ、温度検知の制度を低下する原因となっていた。【解決手段】  赤外線センサ１５と加熱室５の検知孔２２との間に冷却ファンからの冷却風の一部を導く冷却風路２５に、赤外線センサ１５のフィルタ２９から離れる方向に冷却風が流れるよう風向を変更する変更板２６を備えた構成である。【選択図】  図５
2005331138.tif 000002
【特許請求の範囲】
【請求項１】
食品を収納する加熱室と、
前記加熱室内の食品温度を前記加熱室の検知孔を介して検知する赤外線センサと、
前記加熱室内の食品をマイクロ波加熱するマグネトロンと、
前記マグネトロンに冷却風を送風する冷却ファンと、
前記冷却ファンからの冷却風の一部を前記赤外線センサと前記検知孔との間に導くセンサ冷却風路と、を備え、
前記赤外線センサは、
外郭となるセンサケースと、
前記センサケースのうち前記検知孔と対向する位置に取り付けられたフィルタと、
前記センサケース内に設けられ、前記フィルタを介して前記加熱室内の赤外線を検知し、該赤外線に応じた信号を出力する赤外線センサ素子と、
を有し、
前記センサ冷却風路は、前記フィルタから離れる方向に冷却風が流れるよう風向を変更する変更板を有することを特徴とする電子レンジ。
【請求項２】
前記変更板は、前記フィルタから前記加熱室側の鉛直方向に対し、前記冷却風の風向を鋭角に交わるように前記冷却風の風向を変更することを特徴とする請求項1に記載の電子レンジ。
【発明の詳細な説明】
【技術分野】
【０００１】
本発明は、赤外線センサを有する電子レンジに関する。
【背景技術】
【０００２】
従来、食品を収納する加熱室と、該加熱室の側面上方に設けた検知孔から加熱室内の赤外線を検知し、温度を検出する赤外線センサと、加熱室内の食品をマイクロ波加熱するためにマイクロ波を発振するマグネトロンと、該マグネトロンを駆動する駆動回路と、前記マグネトロンおよび駆動回路に冷却風を供給して冷却する冷却ファンと、冷却ファンの冷却風の一部を前記赤外線センサと前記加熱室の検知孔との間に供給するセンサ冷却風路とを備えた電子レンジが良く知られている（特許文献１参照）。
【０００３】
なお、前記赤外線センサは、センサケースと、該センサケースのうち検知孔に対向する位置に配置したフィルタと、センサケースに内設し、前記フィルタを介して加熱室内の赤外線を検出し、検出した赤外線量に応じた信号を出力する赤外線センサ素子とから構成されている。
【０００４】
かかる構成において、前記センサ冷却風路を通って供給される冷却風は、加熱室内の熱により加熱される赤外線センサを冷却すると共に、検知孔から赤外線センサに向けて流れる加熱室内の熱気を赤外線センサに到達させないようにするためのものである。該冷却風は、熱気に含まれた油分や水蒸気が赤外線センサのフィルタに当接してフィルタを汚して曇らせ、検知する赤外線の通過を減少させることを防ぐのである。
【特許文献１】特開２００１−３０４５８０
【発明の開示】
【発明が解決しようとする課題】
【０００５】
しかしながら、センサ冷却風路の冷却風は、加熱室の検知孔から吹き出た熱気を乗せて吹き飛ばすのであるが、赤外線センサに当接すると冷却風に乗った熱気が赤外線センサのフィルタに当接してしまうことになる。特に、熱気に含まれる油分は粘度が高いため、一度当接すると、一緒に当接した蒸気がすぐに蒸発してもフィルタの残ってしまい、フィルタ汚れの原因となり、赤外線の通過を阻害する恐れがあった。
【０００６】
本発明はかかる課題を解決するためになされたものである。
【課題を解決するための手段】
【０００７】
本発明は、食品を収納する加熱室と、前記加熱室内の食品温度を前記加熱室の検知孔を介して検知する赤外線センサと、前記加熱室内の食品をマイクロ波加熱するマグネトロンと、前記マグネトロンに冷却風を送風する冷却ファンと、前記冷却ファンからの冷却風の一部を前記赤外線センサと前記検知孔との間に導くセンサ冷却風路と、を備え、前記赤外線センサは、外郭となるセンサケースと、前記センサケースのうち前記検知孔と対向する位置に取り付けられたフィルタと、前記センサケース内に設けられ、前記フィルタを介して前記加熱室内の赤外線を検知し、該赤外線に応じた信号を出力する赤外線センサ素子と、を有し、前記センサ冷却風路は、前記フィルタから離れる方向に冷却風が流れるよう風向を変更する変更板を有することを特徴とする。
【０００８】
また、前記変更板は、前記フィルタから前記加熱室側の鉛直方向に対し、前記冷却風の風向を鋭角に交わるように前記冷却風の風向を変更することを特徴とする。
【発明の効果】
【０００９】
本発明によれば、赤外線センサのフィルタの汚れが抑制でき、温度検知精度を高めることができるものである。
【発明を実施するための最良の形態】
【００１０】
図1において、１は本発明の電子レンジ本体、２は本体１のうち両側面及び天面を覆うフレーム、３は本体１の前面に配置し、両側部下端付近で軸支して前後方向に開閉可能としたドア、４は本体１の前面のうちドア３の右側方に配置され、キーボード４ａや表示部４ｂが配置された操作パネル、５は本体１に内設され、前面開口を前記ドア３で開閉される加熱室である。
【００１１】
前記ドア３は、上端部に開閉動作を行う際に使用者が持つ取手３ａを有している。
【００１２】
図２において、６は本体1の後面板６は後面板６に連結された本体１の底面板、８は加熱室５の前面開口の周囲及び底面板７に連結され、配置され、ドア３と当接する前面板、９は加熱室5の右側方で操作パネル４の後方に配置され、フレーム２と加熱室５の壁面と後面板６と底面板７とで囲われて形成される電装室である。
【００１３】
１０は操作パネル４の後方に配置された電子レンジの動作を制御する制御回路の部品、１１は電装室９の底部に配置され、加熱室５内にマイクロ波を供給して加熱室5内に収納した食品を加熱するマグネトロンと、１２は電装室９の上部を通過し、本体１の強度を向上させるために後面板６の上部と前面板８の上部とを連結した補強部材である。
【００１４】
１３はマグネトロン１１の上方に配置し、マグネトロン１１に高周波電力を供給して、マイクロ波を発振させるインバータ回路部品が配置されたインバータユニット、１４は電装室９の下部でマグネトロン１１に対応する位置に配置され、後面板６に固定された冷却ファンである。前記冷却ファン１１は、ファンを回動して制御回路の部品１０やマグネトロン１１及びインバータユニット１３に冷却風を供給して冷却するためのものである。１５は、加熱室５内の食品から発する赤外線を検知し、食品温度を検知するために取付台１６に取り付けられた赤外線センサ、１６は後面板６に穿設され、冷却ファン１４が駆動したとき、冷却風を吸気するための鎧戸でカバーした吸気口である。
【００１５】
前記マグネトロン１１は、冷却ファン１１の冷却風を拡散させずにマグネトロン１１に導くファンガイド１８を冷却ファン１１側に配置している。また前記インバータユニット１３は、補強部材１２に固定されると共に、冷却ファン１１の冷却風を拡散させずにインバータユニット１３に導くファンガイド１９を冷却ファン１１側に配置している。
【００１６】
図３及び図４において、２０は加熱室５の電装室９側の側壁２１から所定距離を開けて配置した遮熱板、２２は加熱室５内の赤外線を赤外線センサ１５で検出するために加熱室５の側壁２１に穿設した検知孔、２３は冷却ファン１１の近傍に配置し、冷却ファン１１からの冷却風を加熱室５の側壁２１と遮熱板２０との間に導くための遮熱板２０に設けた冷却風導入口である。
【００１７】
２４は冷却風導入口２３から導入した冷却風を検知孔２２へ導くために加熱室５の側壁２１と遮熱板２０との間の空間を区画して冷却風路２５を形成する風路壁、２６は冷却風路２５に導かれた冷却風が赤外線センサ１５に当接しないように、冷却風路２５の赤外線センサ１５側端部に配置され、冷却封路２５の吹出し口２５ａから吹き出される冷却風の風向を検知孔２２方向に変更させるための変更板である。
【００１８】
前記赤外線センサ１５は、図５に示すように、外郭となるカーボンを含有した樹脂製のセンサケース２７と、検知孔２２に対向する部分に開口したセンサ開口２８と、該センサ開口２８に取り付けられ、検知孔２２を通過する光線のうち赤外線のみを通過させるフィルタ２９と、赤外線を検知する赤外線検知素子を内蔵し、フィルタ２９を通過した赤外線を屈折させて前記赤外線検知素子に集光する反射板３０と、センサケース２７内に配置され、反射板３０や赤外線検知素子及び赤外線検知素子の信号を増幅する検知回路を載置するセンサ基板３１とを有する。また赤外線センサ１５の取付板１６は、遮熱板２０に取り付けられ、その取付位置は、冷却ファン１１の上部付近、すなわち加熱室５の側壁２１のうち後方上部である。したがって、検知孔２２も同様な位置に穿設されている。
【００１９】
かかる構成において、冷却ファン１４が駆動すると、マグネトロン１１及びインバータユニット１３に冷却風が供給されると共に、遮熱板２０の冷却風導入口２３にも冷却風が供給される。冷却風導入口２３に供給された冷却風は、図４中の矢印で示されるように、遮熱板２０と側壁２１との間の冷却風路２５を通り、吹出し口２５ａに至る。冷却風は、変更板２６により検知孔２２方向に風向が変更される。
【００２０】
こうすることにより、吹出し口２５ａから吹出した冷却風３２は、赤外線センサ１５のフィルタ２９から離れる方向に風向を変更して、検知孔２２を通過した赤外線３３を横切るように流れるようになる。冷却風３２と赤外線３３との交わる角度αが、鋭角となるように、変更板２６の風向変更角度を調整している。なお、赤外線３３の方向は、フィルタ２９から加熱室５側への鉛直方向であらわしている。この吹出し口２５ａから吹き出した冷却風の一部は、検知孔２２から加熱室５内に入り、また他の冷却風は、側壁２１とセンサケース２７との間を通過して本体１内の上方に流れるようになる。
【００２１】
以上のことより、加熱室５内でマイクロ波加熱した食品から発する蒸気や食品から飛散する油分などが検知孔２２から赤外線センサ１５方向に流れてきたとき、冷却風路２５を流れ、吹出し口２５ａから吹出した冷却風は、蒸気や油分などを赤外線センサ１５のフィルタ２９から離れる方向に流すよう働くことになり、冷却風がフィルタ２９に当接して、せっかく冷却風で運ぼうとした蒸気や油分などをフィルタ２９に付着させることを抑制し、フィルタ２９の汚れを少なくして、通過する赤外線を阻害することを防止することができるものである。
【図面の簡単な説明】
【００２２】
【図１】本発明の電子レンジの外観図である。
【図２】本発明の電子レンジのフレームをはずし、電装室側から見た図である。
【図３】図２のうちマグネトロン及びインバータユニットをはずして見た図である。
【図４】図３中のＡ−Ａ断面図である。
【図５】図４中の赤外線センサ付近の拡大図である。
【符号の説明】
【００２３】
５    加熱室
１１    マグネトロン
１４    冷却ファン
１５    赤外線センサ
２０    遮熱版
２１    側壁
２２    検知孔
２５    冷却風路
２６    変更板
２９    フィルタ
【図１】
2005331138.tif 000003
【図２】
2005331138.tif 000004
【図３】
2005331138.tif 000005
【図４】
2005331138.tif 000006
【図５】
2005331138.tif 000007